(57)【要約】【課題】  マイナスイオンを発生させると共に遠赤外線を発生させ、しかも、肌着としての通気性を維持することが可能であり、さらに安価で大量生産ができる肌着を提供する。【解決手段】  繊維からなる肌着の所定個所には、セラミックパウダー、ブラックシリカ或いはジャモンストン等の鉱物４、及びゲルマニウムパウダー等の鉱物５の粉体からなる遠赤外線発生膜２が設けられている。この遠赤外線発生膜２は、多数個の円形や多角形状に形成した小片膜３を互いに離間させて所定の範囲に配列して構成している。遠赤外線発生膜２からは遠赤外線と同時にマイナスイオンが放射され、身体を適度に暖めることにより保温性を高め、身体の皮膚から放出した汗は、遠赤外線発生膜２を構成する小片膜３の間から放出される。【選択図】  図１
2006188794.tif 000002
【特許請求の範囲】
【請求項１】
繊維からなる肌着には、所定個所にセラミックパウダー、ブラックシリカ或いはジャモンストン、及びゲルマニウムパウダー等の鉱物の粉体を有する遠赤外線発生膜が設けられ、この遠赤外線発生膜は、多数個の円形や多角形状に形成した小片膜を互いに離間させて所定の範囲に配列して構成したことを特徴とする肌着。
【請求項２】
遠赤外線発生膜は、身体の腹部や腰部の肌に接触するように上記肌着の内面に設けられた請求項１に記載の肌着。
【請求項３】
上記セラミックパウダー、ブラックシリカ或いはジャモンストンの少なくとも一種の鉱物の粉体を約３重量％乃至１０重量％、上記ゲルマニウムパウダーの鉱物の粉体を約０．０５重量％乃至２重量％が繊維に接着可能な液状接着剤に混合された請求項１に記載の肌着。
【請求項４】
遠赤外線発生膜は、上記鉱物の粉体を混合した液状接着剤をスプレーや印刷等により上記肌着に塗布または含浸した固化した請求項１乃至３に記載の肌着。
【請求項５】
パンツ部と腹巻き部が一体的に連結され、上記パンツ部と腹巻き部の少なくとも一方の内面に遠赤外線発生膜が設けられている請求項１乃至４に記載の肌着。
【発明の詳細な説明】
【技術分野】
【０００１】
本発明は、特に肌に接触する肌着に関し、詳しくは、身体の肌に接触した状態で身体に向けてマイナスイオンや遠赤外線を放射する遠赤外線発生膜を設けた肌着に関する。
【背景技術】
【０００２】
近年、健康維持に対する関心が高まり、薬等によらない自然な環境を人工的に作り出して身体にマイナスイオン等を吸収させることにより、身体を健康体に至らせる種々の健康手段が提案されている。
【０００３】
その一つとして、マイナスイオンによる効果が確認され、衣料品、ヘアドライヤー、或いはエアコン等の各方面でマイナスイオンを発生させ、個々に実績を出している。マイナスイオンは、体内の主として血液のイオンに作用し、血液等をマイナスイオン化させて活性化することが知られている。その一方で、一般に人間の身体は、痛み等の病的な異常が生ずると、皮膚の表皮側にプラス電位が誘起されることに着目し、この電位を正常なマイナス電位に戻す作用を行うものとして、ゲルマニウムを使用することも提案されている。
【０００４】
このような背景の中で、本出願人は特開２００４−１６２２２３号公報（特許文献１）により、マイナスイオンを発生する主成分がシリコンからなる液状シリコンにゲルマニウムのパウダーを混合し、これら液体を繊維体或いは樹脂等の素材に塗布または含浸させて固化したマイナスイオン発生素材を提案し、実用に供されている。
【０００５】
上記特許文献１に示されたマイナスイオン発生素材は、液状シリコンによって少なくとも５０ＮＳ／ｃｃのマイナスイオンが発生すると共に、ゲルマニウムのパウダーからマイナス電位を発生させ、さらに、ゲルマニウムのパウダーを摂氏３２度以上に暖められることによって身体の不調個所を改善する効果を高めることによって、体内の主として血液のイオンに作用して血液等をマイナスイオン化させて活性化する等の効果を有している。ところが、特許文献１に開示したマイナスイオン発生素材は、液体シリコンにゲルマニウムのパウダーを撹拌混合して、素材にスプレーまたは印刷により塗布または含浸することから、素材の表面に一面にマイナスイオン発生体が形成されるために、特に繊維体に形成した場合には、繊維の目が封止される。この結果、例えば肌着にマイナスイオン発生体を形成したときには、身体の皮膚呼吸が阻害される恐れが生ずる。また、汗がマイナスイオン発生体に付着して蒸発が阻害されるためにかぶれが生ずる恐れがある等、本来の効果を打ち消すような問題が生じていた。さらに、ゲルマニウムパウダーを混合したマイナスイオン発生素材を繊維体等の素材に塗布または含浸させることで、マイナスイオンは増加するものの、肌着が身体に与える保温性は従来と同様であり、使用者が有していた保温性に対するニーズに応えることができなかった。
【０００６】
【特許文献１】特開２００４−１６２２２３号公報
【発明の開示】
【発明が解決しようとする課題】
【０００７】
本発明が解決しようとする課題は、マイナスイオンを発生させると共に遠赤外線を発生させ、しかも、肌着としての通気性を維持することが可能であり、さらに安価で大量生産ができる肌着を提供することにある。
【課題を解決するための手段】
【０００８】
そこで、本発明の請求項１に関わる肌着は、繊維からなる肌着には、所定個所にセラミックパウダー、ブラックシリカ或いはジャモンストン、及びゲルマニウムパウダー等の鉱物の粉体を有する遠赤外線発生膜が設けられ、この遠赤外線発生膜は、多数個の円形や多角形状に形成した小片膜を互いに離間させて所定の範囲に配列して構成している。
【０００９】
また、請求項２に関わる肌着は、請求項１において、遠赤外線発生膜が、身体の腹部や腰部の肌に接触するように上記肌着の内面に設けられている。
【００１０】
また、本発明の請求項３に関わる肌着は、上記セラミックパウダー、ブラックシリカ或いはジャモンストンの少なくとも一種の鉱物の粉体を約３重量％乃至１０重量％、上記ゲルマニウムパウダーの鉱物の粉体を約０．０５重量％乃至２重量％が繊維に接着可能な液状接着剤に混合されている。
【００１１】
さらにまた、本発明の請求項４に関わる肌着は、遠赤外線発生膜が、上記鉱物の粉体を混合した液状接着剤をスプレーや印刷等により上記肌着に塗布または含浸した固化している。
【００１２】
また、本発明の請求項５に関わる肌着は、パンツ部と腹巻き部が一体的に連結され、上記パンツ部と腹巻き部の少なくとも一方の内面に遠赤外線発生膜が設けられている。
【発明の効果】
【００１３】
本発明によれば、繊維からなる肌着の所定個所に、セラミックパウダー及びゲルマニウムパウダー等の鉱物の粉体からなる遠赤外線発生膜が設けられているので、大きな放射強度の遠赤外線が放射され、身体を適度に暖めることにより保温性を高めることが可能となる。しかも、同時にマイナスイオンが発生することから、身体の不調個所を改善する効果を高めることを維持させることができる。さらに、遠赤外線発生膜が多数個の円形や多角形状に形成した小片膜を互いに離間させて所定の範囲に配列して構成しているので、上記小片膜の間から汗が放出されて通気性が良好となり、かぶれの発生を未然に防止することが可能となる。
【００１４】
さらにまた、遠赤外線発生膜を、鉱物の粉体を混合した液状接着剤をスプレーや印刷等により肌着に塗布または含浸させて固化することによって形成されるので、大量生産が可能であり、安価に製造することが可能となる。
【発明を実施するための最良の形態】
【００１５】
繊維からなる肌着の所定個所には、セラミックパウダー、ブラックシリカ或いはジャモンストン、及びゲルマニウムパウダー等の鉱物の粉体からなる遠赤外線発生膜が設けられている。この遠赤外線発生膜は、多数個の円形や多角形状に形成した小片膜を互いに離間させて所定の範囲に配列して構成している。上記遠赤外線発生膜からは遠赤外線と同時にマイナスイオンが放射され、身体を適度に暖めることにより保温性を高め、身体の皮膚から放出した汗は、遠赤外線発生膜を構成する小片膜の間から放出される。
【実施例１】
【００１６】
以下、図面に基づいて本発明の実施例を詳細に説明する。図１は、本発明に関わる肌着の第１の実施例として、繊維体を織った腹巻き１に適用した例を示している。肌着としての腹巻き１は、木綿、羊毛などの動植物繊維、或いは、ナイロン、テトロン等の合成繊維等からなり、特に種類を問わない。このような腹巻き１の内面には、遠赤外線発生膜２が設けられている。遠赤外線発生膜２は、図示のように略ハート形に形成され、前方の腹側と後方の背側に各々形成されている。なお、遠赤外線発生膜２の形状はハート形に限らず、楕円形、長方形、或いは各種のイラストやキャラクター等の造形であっても良い。
【００１７】
上記遠赤外線発生膜２は、図１において拡大したように、多数個の六角形状に形成した小片膜３を互いに離間した状態で所定の範囲に配列することにより構成されている。小片膜３の寸法は、対向する辺の長さを約３ｍｍ乃至１５ｍｍに設定している。また、小片膜３を離間させる寸法は、約０．５ｍｍ乃至１０ｍｍに設定している。小片膜３の寸法が３ｍｍ以下のときは、後述する遠赤外線やマイナスイオンの放射量が小さくなり、所定の効果が得られず、１５ｍｍ以上のときは、放射量が大きくなるものの小片膜３によって繊維表面が覆われるために肌触りが悪化すると共に、小片膜３に汗が付着して放出されなくなる恐れがある。一方、小片膜３の離間寸法が０．５ｍｍ以下のときは、汗を放出する面積が小さくなり放出効率が悪化し、１０ｍｍ以上のときは、この部分に小片膜３が存在しないことから、身体に対する遠赤外線やマイナスイオンの放射量が小さくなる。
【００１８】
上記遠赤外線発生膜２は、セラミックパウダー、ブラックシリカ或いはジャモンストンからなる第１の鉱物４の粉体、及びゲルマニウムパウダーからなる第２の鉱物５の粉体を繊維に接着可能な液状の原料接着剤６に混合した状態で塗布した後に固化させることにより、腹巻き１の内面に膜が形成されている。上記粉体は、セラミックパウダー、ブラックシリカ或いはジャモンストンのいずれか一種、または二種以上を適宜な分量で混合して使用しても良い。
【００１９】
次に、上記遠赤外線発生膜２の形成方法について説明する。まず、繊維に接着可能な液状接着剤に対し、上記セラミックパウダー、ブラックシリカ或いはジャモンストンの少なくとも一種からなる第１の鉱物４の粉体を約３重量％乃至１０重量％混合すると共に、上記ゲルマニウムパウダーからなる第２の鉱物５を約０．０５重量％乃至２重量％を均一に分散するように混合すると共に撹拌して液状の原料接着液６を製作する。そして、原料接着液６は、図２に示すように、スクリーン印刷法によって腹巻き１に対して印刷塗布される。すなわち、スクリーン７には、多数配列された上記小片膜３と同じ形状の開口部７ａと、これらの開口部７ａに隣接させたマスク部７ｂが形成されている。
【００２０】
そして、腹巻き１の内面にスクリーン７を載せた後に、スキージ８を移動することによって原料接着液６が開口部７ａを通して腹巻き１に移行して塗布される。この結果、原料接着液６は、図３に示すように、腹巻き１の繊維内に一部が含浸すると共に繊維表面に小片膜３が形成される。その後、原料接着液６を固化させることによって約１０乃至１５０ミクロンの厚さの上記遠赤外線発生膜２が形成される。この遠赤外線発生膜２内には、図示のように、セラミックパウダー、ブラックシリカ或いはジャモンストンの少なくとも一種からなる第１の鉱物４の粉体、および、ゲルマニウムパウダーからなる第２の鉱物５の粉体がほぼ均一に分散されている。
【００２１】
このようなスクリーン印刷法は、腹巻き１に多数の小片膜３のみを印刷形成する場合に好適である。多数の小片膜３を形成することによって上記遠赤外線発生膜２の形成する方法としては、スクリーン印刷法の他に、多数の小片膜３の形状を有する透孔を穿設した適宜の型紙を腹巻き１に添設した後に、上方からスプレーによって原料接着液６を噴射させて多数の小片膜３からなる遠赤外線発生膜２を形成しても良い。その他、周知の印刷法によって遠赤外線発生膜２を形成するようにしても良い。
【００２２】
このようにして、セラミックパウダー、ブラックシリカ或いはジャモンストンの少なくとも一種からなる第１の鉱物４の粉体、および、ゲルマニウムパウダーからなる第２の鉱物５の粉体を有する多数の小片膜３から構成された遠赤外線発生膜２からはマイナスイオンが放射される。このマイナスイオンの量は、温度が摂氏２０度、湿度３０％乃至５０％の環境において測定したところ、少なくとも２００ＮＳ／ｃｃ以上が発生している。この発生量は、温度と湿度によっても発生量が多少変化し、温度と湿度が高くなるに従って発生量が増加する傾向がある。また、腹巻き１を着用したときには、遠赤外線発生膜２が肌に直接接触すると共に、身体の動きによって皮膚との間で摩擦が生ずることから、マイナスイオンの量は２００ＮＳ／ｃｃ以上に上昇する。このとき、遠赤外線発生膜２が肌に直接接触しているので、マイナスイオンが直接身体内に浸透することになる。因みに、比較的マイナスイオンが多いとされる森林におけるマイナスイオン量は、約２５０ＮＳ／ｃｃであり、上記腹巻き１着用することは、例えば軽井沢において常に森林浴を行っている場合と等価な活性化効果が得られることを意味している。尚、マイナスイオン発生量の測定方式は東大ＮＹ方式であり、測定機器は、神戸電波製ＫＳＴ−９００を使用した。
【００２３】
また、遠赤外線発生膜２からは、遠赤外線発生膜２からは、マイナスイオンと共に遠赤外線が放出される。図６乃至図９は、遠赤外線発生膜２から放射される遠赤外線の放射率および放射強度の状態を示している。
【００２４】
図６は、遠赤外線発生膜２から放射される遠赤外線の放射率の実測値を示している。遠赤外線は、４．０乃至１，０００ミクロンの波長を有し、光子エネルギーの浸透力が強く、生体内部まで到達して加温する性質を有している。図６に示すグラフは、横軸目盛りが測定波長（単位はミクロン）、縦軸目盛りが放射エネルギーの強さ（１平方ｃｍあたりのＷ数）であり、点線で表示した曲線は、黒体（入射する光を１００％吸収し、エネルギー放射能力が最大の物体）の放射エネルギーを示し、これ以上大きな放射エネルギーを示すものはない。
【００２５】
一方、実線で表示した曲線は、本発明による遠赤外線発生膜２から放射される遠赤外線の放射エネルギーを示し、上記点線で表示した黒体の曲線に近接しているほど放射能力が高いものとなる。この図６に示すグラフにおいて、黒体の放射エネルギーの最大値が波長１０ミクロンにおいて約１．２Ｗに対し、遠赤外線発生膜２から放射される放射エネルギーの強度の最大値は、波長９ミクロンにおいて約０．９Ｗと黒体に近接した放射エネルギーの強度を示している。これは、黒体に匹敵する放射エネルギー遠赤外線を身体に放射して加温することを意味している。因みに、上述したデータは、遠赤外線応用研究所において、測定温度が摂氏３５度の環境で熱輻射測定装置によって計測したものである。
【００２６】
図７は、遠赤外線発生膜２内にセラミックパウダーからなる第１の鉱物４の粉体を約５重量％混合すると共に、ゲルマニウムパウダーからなる第２の鉱物５を約１．０重量％混合した場合の遠赤外線の放射率を示している。ここで放射率とは、上記黒体の放射エネルギー強度を１００としたときに、遠赤外線発生膜２から放射される遠赤外線の放射エネルギー強度の比率であり、最大値は１００％である。図７から明らかなように、セラミックパウダーを混合した遠赤外線発生膜２からは、約８０％の放射率で遠赤外線が放射されていることがわかる。
【００２７】
図８は、遠赤外線発生膜２内にジャモンストンからなる第１の鉱物４の粉体を約５重量％混合すると共に、ゲルマニウムパウダーからなる第２の鉱物５を約１．０重量％混合した場合の遠赤外線の放射率を示している。図８から明らかなように、ジャモンストンを混合した遠赤外線発生膜２からは、上記セラミックパウダーよりも１０％以上も高い約９０％以上の放射率で遠赤外線が放射される。
【００２８】
図９は、遠赤外線発生膜２内にブラックシリカらなる第１の鉱物４の粉体を約５重量％混合すると共に、ゲルマニウムパウダーからなる第２の鉱物５を約１．０重量％混合した場合の遠赤外線の放射率を示している。図９に示すように、ブラックシリカを混合した遠赤外線発生膜２からは、上記ブラックシリカとほぼ同様に約９０％の放射率で遠赤外線が放射される。
【００２９】
上述したように、繊維からなる肌着の所定個所に、セラミックパウダー及びゲルマニウムパウダー等の鉱物３の粉体からなる遠赤外線発生膜２から、大きな放射エネルギー強度の遠赤外線が放射される。この遠赤外線が身体を適度に暖め、肌着としての保温性を高められる。しかも、同時にマイナスイオンが発生するので、身体の不調個所を改善する効果を高められる。さらに、遠赤外線発生膜２が多数個の円形や多角形状に形成した小片膜３を互いに離間させて所定の範囲に配列して構成しているので、小片膜３の間から汗が放出されて通気性が良好となる。
【００３０】
さらにまた、遠赤外線発生膜２を、鉱物４および鉱物５の粉体を混合した液状の原料接着剤６をスクリーン印刷等の印刷手段により腹巻き１に塗布または含浸させて固化することによって形成されるので、大量生産によって安価に製造される。
【実施例２】
【００３１】
図４は、本発明に関わる肌着の第２の実施例として、繊維体を織ったパンツ１０に適用した例を示している。肌着としてのパンツ１０は、木綿、羊毛、或いは、ナイロン、テトロン等の合成繊維等の繊維体を織られている。そして、パンツ１０の内面には、前述した腹巻き１と同様に、遠赤外線発生膜２が設けられている。遠赤外線発生膜２は、後方の背側に形成されている。この遠赤外線発生膜２は、前方の腹部側に適宜の形状で設けても良い。この遠赤外線発生膜２は、前述したように楕円形、長方形、或いは各種のイラストやキャラクター等の造形に変更しても良い。
【００３２】
パンツ１０の内面に設けた遠赤外線発生膜２も、多数個の六角形状に形成した小片膜３を互いに離間した状態で所定の範囲に配列することにより構成されている。小片膜３の寸法は、前述した例と同様に、対向する辺の長さを約３ｍｍ乃至１５ｍｍに設定している。
【００３３】
この遠赤外線発生膜２は、セラミックパウダー、ブラックシリカ或いはジャモンストンからなる第１の鉱物４の粉体、及びゲルマニウムパウダーからなる第２の鉱物５の粉体を繊維に接着可能な液状接着剤に混合した状態でパンツ１０の内面に塗布した後に固化させることによって形成されている。上記粉体は、セラミックパウダー、ブラックシリカ或いはジャモンストンのいずれか一種、または二種以上を適宜な分量で混合して使用しても良い。
【００３４】
上述したパンツ１０においても、内面にセラミックパウダー及びゲルマニウムパウダー等の鉱物４の粉体からなる遠赤外線発生膜２から大きな放射エネルギー強度の遠赤外線が放射され、この遠赤外線が特に腰を適度に暖め、腰痛等を改善する。さらに、マイナスイオンが発生するので、特に腰の不調個所が改善される。遠赤外線によって腰を適度に暖めたときに発汗することもあるが、遠赤外線発生膜２が多数個の円形や多角形状に形成した小片膜３を互いに離間させて所定の範囲に配列しているので、小片膜３の間から汗が放出することができる。
【実施例３】
【００３５】
図５は、本発明に関わる肌着の第３の実施例として、腹巻き部２１とパンツ部２２とを連結させた腹巻き付きパンツ２０に適用した例を示している。この腹巻き付きパンツ２０も木綿、羊毛、或いは、ナイロン、テトロン等の合成繊維等の繊維体を素材としている。また、腹巻き部２１は前述した腹巻き１と同様に構成され、パンツ部２２は前述したパンツ１０と同様に構成され、互いに連結されている。尚、腹巻き部２１とパンツ部２２とを一体に製作することにより腹巻き付きパンツ２０を製作しても良い。
【００３６】
そして、腹巻き付きパンツ２０のうち、腹巻き部２１内面には、前述した腹巻き１と同様に、遠赤外線発生膜２が設けられている。遠赤外線発生膜２は、後方の腰部側と腹部側に形成されている。一方、パンツ部２１の内面にも、前述したパンツ部２１と同様に、遠赤外線発生膜２が設けられている。これら遠赤外線発生膜２も、多数個の六角形状に形成した小片膜３を互いに離間した状態で所定の範囲に配列することにより構成されている。小片膜３の寸法は、前述した例と同様に、対向する辺の長さを約３ｍｍ乃至１５ｍｍに設定している。
【００３７】
この遠赤外線発生膜２は、セラミックパウダー、ブラックシリカ或いはジャモンストンからなる第１の鉱物４の粉体、及びゲルマニウムパウダーからなる第２の鉱物５の粉体を繊維に接着可能な液状接着剤に混合した状態で各々の内面に塗布した後に固化させることによって形成されている。上記粉体は、セラミックパウダー、ブラックシリカ或いはジャモンストンのいずれか一種、または二種以上を適宜な分量で混合して使用しても良い。
【００３８】
このような腹巻き付きパンツ２０においても、セラミックパウダー及びゲルマニウムパウダー等の鉱物３の粉体からなる遠赤外線発生膜２を設けることによって、大きな放射エネルギー強度の遠赤外線が放射され、腰部や腹部を適度に暖める。さらに、マイナスイオンが発生するので、腰部や腹部の不調個所が改善される。また、遠赤外線によって暖めることにより発生した汗は、互いに離間して配列した小片膜３の隙間から放出することができる。
【００３９】
以上、本発明を実施例に基づき具体的に説明したが、本発明は上記実施例に限定されるものではなく、その要旨を逸脱しない範囲で種々変形可能であることは言うまでもない。前述した実施例においては、肌着として腹巻きおよびパンツを例示して説明したが、これらの形状や構成は適宜に変更可能である。また、遠赤外線発生膜を設ける位置や大きさについても適宜に変更可能である。さらに、肌着としては、その他、Ｔシャツ、ズボン下、靴下、ショーツ、等々に適用可能であり、この場合、遠赤外線発生膜は適宜の位置や大きさに設けることができる。さらにまた、上述した第１の鉱物として、セラミックパウダー、ブラックシリカ或いはジャモンストンを示したが、これらは主成分であって、肌着に接着する上で必要な粉体や素材を混合しても良い。
【産業上の利用可能性】
【００４０】
本発明は、腹巻きやパンツ等の肌着に適用可能である。
【図面の簡単な説明】
【００４１】
【図１】本発明に関わる肌着の第１の実施例として腹巻きに適用した例を示す斜視図である。
【図２】肌着に対してスクリーン印刷法により塗布させる状態を示す説明図である。
【図３】肌着に遠赤外線発生膜を設けた状態を示す拡大説明図である。
【図４】本発明に関わる肌着の第２の実施例としてパンツに適用した例を示す斜視図である。
【図５】本発明に関わる肌着の第３の実施例として腹巻き付きパンツに適用した例を示す斜視図である。
【図６】遠赤外線発生膜から放射される遠赤外線の放射強度を示す特性図である。
【図７】遠赤外線発生膜内にセラミックパウダーを混合した場合の遠赤外線の放射率を示す特性図である。
【図８】遠赤外線発生膜内にジャモンストンを混合した場合の遠赤外線の放射率を示す特性図である。
【図９】遠赤外線発生膜内にブラックシリカを混合した場合の遠赤外線の放射率を示す特性図である。
【符号の説明】
【００４２】
１      腹巻き（肌着）
２      遠赤外線発生膜
３      小片膜
４      第１の鉱物
５      第２の鉱物
６      原料接着剤
７      スクリーン
１０    パンツ（肌着）
２０    腹巻き付きパンツ（肌着）
２１    腹巻き部
２２    パンツ部
【図１】
2006188794.tif 000003
【図２】
2006188794.tif 000004
【図３】
2006188794.tif 000005
【図４】
2006188794.tif 000006
【図５】
2006188794.tif 000007
【図６】
2006188794.tif 000008
【図７】
2006188794.tif 000009
【図８】
2006188794.tif 000010
【図９】
2006188794.tif 000011